(57)【要約】【課題】少流量で噛み込み易い粉体であっても、安定して定量的に搬送することができ、しかも、垂直方向の設置スペースが小さい縦型ロータリバルブを提供する。【解決手段】複数の区画室を有する弁体を円筒状のケーシングの上部に設け、該弁体の上下に搬送物供給口を有する上部回転弁板と搬送物排出口を有する下部回転弁板とを配設した縦型ロータリバルブであって、前記円筒状のケーシングを構成するケーシング外筒に、搬送用エアを供給する搬送用エア供給管と、搬送用エアを排出する搬送用エア排出管とを一体として設けることを特徴とする縦型ロータリバルブ。【選択図】    図１
2004323167.tif 000002
【特許請求の範囲】
【請求項１】
複数の区画室を有する弁体を円筒状のケーシングの上部に設け、該弁体の上下に搬送物供給口を有する上部回転弁板と搬送物排出口を有する下部回転弁板とを配設した縦型ロータリバルブであって、
前記円筒状のケーシングを構成するケーシング外筒に、搬送用エアを供給する搬送用エア供給管と、搬送用エアを排出する搬送用エア排出管とを一体として設けることを特徴とする縦型ロータリバルブ。
【請求項２】
前記上部回転弁板の上部に、搬送物の攪拌部材を有するブレーカを設けることを特徴とする請求項１に記載の縦型ロータリバルブ。
【請求項３】
前記搬送物排出口の上部に搬送物を排出する排出用エア供給管を設けることを特徴とする請求項１または請求項２に記載の縦型ロータリバルブ。
【請求項４】
前記バルブ本体と駆動モータとを一体化することを特徴とする請求項１乃至請求項３に記載の縦型ロータリバルブ。
【請求項５】
前記搬送物排出口の上部に搬送物の噛み込みを防止する噛み込み防止板を有することを特徴とする請求項１乃至請求項４に記載の縦型ロータリバルブ。
【発明の詳細な説明】
【０００１】
【発明の属する技術分野】
本発明は、粉状の搬送物を安定して定量的に搬送する縦型ロータリバルブに関する。
具体的には、複数の区画室を有する弁体を円筒状のケーシングの上部に設け、該弁体の上下に搬送物供給口を有する上部回転弁板と搬送物排出口を配設した下部回転弁板とを有する縦型ロータリバルブに関する。
【０００２】
【従来の技術】
縦型ロータリバルブに関しては、高定量性を有する被搬送物取出装置、搬送物の噛み込み防止方法、磨耗防止方法など、種々の提案がなされており、これらについては、実公昭５８−１２１０３号公報、実公昭５９−２０２７号公報、実公昭５９−２０２８号公報、実公昭５９−３３５５号公報、実公昭６０−１９０６９号公報、実公昭６０−３８６０１号公報に開示されている。
これらの従来技術に開示されている縦型ロータリバルブは、搬送物を数ｔｏｎ／ｈの流量で搬送することを目的としており、搬送物が少量の場合には、上下回転弁板の回転数を低減する方法、もしくは、上下回転弁板の距離を縮めてケーシングを放射状に区切った区画室の容積を小さくすることにより上下回転弁板の１回転ごとの搬送量を少なくする方法が採用されていた。
【０００３】
しかし、薬品等のように数ｋｇ／ｈまで流量を下げる必要がある場合、従来の方法で対応できる流量には限界があり、このような少流量の粉状搬送物を安定して定量的に搬送することができなかった。
また、従来の縦型ロータリバルブは、搬送物を垂直方向に流す機能しか有していなかったため、搬送物を水平方向に流すためには、縦型ロータリバルブの下部にエジェクター（混合管）などの配管部品を設置して搬送物の流れる方向を変える必要があり、このエジェクター（混合管）などの配管部品を設置するために高さ方向の設置スペースが大きくなるという問題があった。
さらに、従来の縦型ロータリバルブは、搬送物の粒径が大きい場合や粘度が高い場合には、搬送物が弁体の隙間に噛み込んで、弁体の円滑な回転を阻害するという問題があった。
【０００４】
【特許文献１】実公昭５８−１２１０３号公報
【特許文献２】実公昭５９−２０２７号公報
【特許文献３】実公昭５９−２０２８号公報
【特許文献４】実公昭５９−３３５５号公報
【特許文献５】実公昭６０−１９０６９号公報
【特許文献６】実公昭６０−３８６０１号公報
【０００５】
【発明が解決しようとする課題】
本発明は、前述のような従来技術の問題点を解決し、少流量で噛み込み易い粉体であっても、安定して定量的に搬送することができ、しかも、垂直方向の設置スペースが小さく、エジェクター（混合管）が要らない縦型ロータリバルブを提供することを課題とする。
【０００６】
【課題を解決するための手段】
本発明は、上記課題を解決するためになされたものであり、その要旨とするところは特許請求の範囲に記載した通りの下記内容である。
（１）複数の区画室を有する弁体を円筒状のケーシングの上部に設け、該弁体の上下に搬送物供給口を有する上部回転弁板と搬送物排出口を有する下部回転弁板とを配設した縦型ロータリバルブであって、
前記円筒状のケーシングを構成するケーシング外筒に、搬送用エアを供給する搬送用エア供給管と、搬送用エアを排出する搬送用エア排出管とを一体として設けることを特徴とする縦型ロータリバルブ。
（２）前記上部回転弁板の上部に、搬送物の攪拌部材を有するブレーカを設けることを特徴とする（１）に記載の縦型ロータリバルブ。
（３）前記搬送物排出口の上部に搬送物を排出する排出用エア供給管を設けることを特徴とする（１）または（２）に記載の縦型ロータリバルブ。
（４）前記バルブ本体と駆動モータとを一体化することを特徴とする（１）乃至（３）に記載の縦型ロータリバルブ。
（５）前記搬送物排出口の上部に搬送物の噛み込みを防止する噛み込み防止板を有することを特徴とする（１）乃至（４）に記載の縦型ロータリバルブ。
【０００７】
【発明の実施の形態】
本発明の実施形態について、図１乃至図３を用いて詳細に説明する。
図１および図２は、本発明の縦型ロータリバルブの実施形態を例示する図であり、図１が縦断面図を示し、図２が平面図を示す。
図１および図２において、１は弁体、２は上部回転弁板、３は下部回転弁板、４はケーシング内筒、５はケーシング外筒、６は搬送用エア供給管、７は搬送用エア排出管、８は駆動用モータ、９はブレーカ、１０は排出用エア供給管、１１は搬送物供給口、１２は区画室、１３は搬送物排出口、１４は攪拌部材を示す。
【０００８】
図１において、粉状の搬送物は、縦型ロータリバルブの上方に設置される図示されていないホッパーから供給され、図１のブレーカ９に沿ってバルブの外周方向に流れ落ちる。
本実施形態においては、ブレーカ９の外周の２箇所に上下の弁板２，３とともに回転する攪拌部材１４が設置されており、搬送物を攪拌することによって、搬送物の固化や目詰まりを防止することができる。
本発明においては、攪拌部材１４の形状は問わないが、図１および図２に示す円筒状のブレーカの外周に取り付けた金属製のプレートが好ましい。
次に、搬送物は、図２に示す上部回転弁板２に設けられた搬送物供給口１１からケーシングの上部に設置された弁体１（バルブ本体）の外周に設けられた区画室１２に供給される。
上部回転弁板２と下部回転弁板３とはキー溝構造により、駆動モータ８により、図２の矢印の方向に同軸に回転する。
本発明においては、駆動モータ８の形式は問わないが、回転軸の方向の制約を受けないため、図１に示すような中空軸を有するハイポニックモータを用いることにより、駆動モータをバルブ本体と一体化することができ、従来の縦型ロータリバルブに比べて著しくコンパクト化することができる。
【０００９】
下部回転弁板３には、前記の搬送物供給口１１の１８０°反対側に、搬送物排出口１３が設けられており、上部回転弁板２と下部回転弁板３とが同時に回転することによって、順次、搬送物を定量的に供給・排出することができる。
このように、本発明の縦型ロータリバルブは、ケーシングの上部に設けられた弁体１に一定の大きさの区画室１２を設けているので、上部回転弁板２と下部回転弁板３とが同時に回転することによって、搬送物が数ｋｇ／ｈの少流量の粉体であっても一定の流量で搬送することができる。
本発明においては、区画室の数は問わないが、弁体１（バルブ本体）の全周に８〜３６個の区画室を設けることが好ましい。
また、上下の回転弁板の回転数を調整することによって、搬送物の流量を制御することができる。
【００１０】
前述の搬送物排出口１３から排出された搬送物は、ケーシング内筒４およびケーシング外筒５によって構成されるケーシングに供給され、搬送用エア供給管６から図１および図２にＡＩＲと表示した矢印の方向に供給される搬送用エアによってケーシング内を搬送され、搬送用エア排出管７から図１および図２にＡＩＲ＋ＰＯＷＤＥＲと表示した矢印の方向に排出される。
本発明においては、前記ケーシング外筒５に、搬送用エアを供給する搬送用エア供給管６と、搬送用エアを排出する搬送用エア排出管７とが一体として設けられている。
従来の縦型ロータリバルブは区画室の高さが大きく、バルブの下部にエジェクター（混合管）などの配管部材を設置して搬送用の配管を取り付けていたため、バルブを設置するために垂直方向に大きなスペースを必要であったが、本発明によれば、ケーシング外筒に搬送用エアの供給管６および排出管７が一体として取り付けられているので、バルブ設置のための垂直方向のスペースを著しく低減することができる。
なお、前記搬送用エア供給管６は、図１に示すようにレデューサを設けて配管径を拡大することにより、搬送物の流れを円滑化することができる。
【００１１】
また、本実施形態においては、前記搬送物排出口１３の上部に搬送物を強制的に排出する強制排出装置としての役割を果たす排出用エア供給管１０が設けられている。
搬送物の粒径や粘度によっては、区画室１２や上下回転弁板２，３の内面に付着して目詰まりを起こすため、排出用エア供給管１０により、例えば、０．０６Ｍｐａ、６０ｌ／ｍｉｎ．程度の排出用エアを搬送物排出口１３の上部に吹付けることによって、搬送物の目詰まりを防止することができる。
排出用エア供給管１０は、図２に示すように、バルブの下部から排出用エアを供給することが好ましく、供給管の途中にはロータリジョイントを設けることにより、排出用エア供給管１０の先端部が搬送物排出口１３とともに回転することが好ましい。
【００１２】
図３は、本発明の縦型ロータリバルブの好ましい実施形態である噛み込み防止板の詳細図である。
図３において、１は弁体、２は上部回転弁板、１１は搬送物供給口、１２は区画室、１５は噛み込み防止板を示す。
本実施形態においては、搬送物供給口１１の上部に搬送物の噛み込みを防止する噛み込み防止板１５が設けられている。
搬送物は弁体１と上部回転弁板２との間に入り込んで目詰まりし易いので、搬送物供給口１１の上部に噛み込み防止板１５を設置することによって、搬送物が搬送物は弁体１と上部回転弁板２との間に入り込みにくくすることができる。搬送物の流れる方向から、噛み込み防止板１５の設置位置は、図３に示すように、搬送物供給口１１の回転方向側の端部とすることが好ましい。
【００１３】
【発明の効果】
本発明によれば、少流量で噛み込み易い粉体であっても、安定して定量的に搬送することができ、しかも、垂直方向の設置スペースが小さく、エジェクター（混合管）が要らない縦型ロータリバルブを提供することができるなど、産業上有用な著しい効果を奏する。
【図面の簡単な説明】
【図１】本発明の縦型ロータリバルブの実施形態を例示する縦断面図である。
【図２】本発明の縦型ロータリバルブの実施形態を例示する平面図である。
【図３】本発明の縦型ロータリバルブの好ましい実施形態である噛み込み防止板の詳細図である。
【符号の説明】
１・・・弁体
２・・・上部回転弁板
３・・・下部回転弁板
４・・・ケーシング内筒
５・・・ケーシング外筒
６・・・搬送用エア供給管
７・・・搬送用エア排出管
８・・・駆動用モータ
９・・・ブレーカ
１０・・・排出用エア供給管
１１・・・搬送物供給口
１２・・・区画室
１３・・・搬送物排出口
１４・・・攪拌部材
１５・・・噛み込み防止板
【図１】
2004323167.tif 000003
【図２】
2004323167.tif 000004
【図３】
2004323167.tif 000005
【手続補正書】
【提出日】平成16年6月18日(2004.6.18)
【手続補正１】
【補正対象書類名】明細書
【補正対象項目名】特許請求の範囲
【補正方法】変更
【補正の内容】
【特許請求の範囲】
【請求項１】
複数の区画室を有する弁体を円筒状のケーシングの上部に設け、該弁体の上下に搬送物供給口を有する上部回転弁板と搬送物排出口を有する下部回転弁板とを配設した縦型ロータリバルブであって、
前記円筒状のケーシングを構成するケーシング外筒の側面に、搬送用エアを供給する搬送用エア供給管と、搬送用エアを排出する搬送用エア排出管とを一体として設けることにより該バルブ設置のための垂直方向のスペースを低減したことを特徴とする縦型ロータリバルブ。
【請求項２】
前記上部回転弁板の上部に、搬送物の攪拌部材を有するブレーカを設けることを特徴とする請求項１に記載の縦型ロータリバルブ。
【請求項３】
前記搬送物排出口の上部に搬送物を排出する排出用エア供給管を設けることを特徴とする請求項１または請求項２に記載の縦型ロータリバルブ。
【請求項４】
前記バルブ本体と駆動モータとを一体化することを特徴とする請求項１乃至請求項３に記載の縦型ロータリバルブ。
【請求項５】
前記搬送物排出口の上部に搬送物の噛み込みを防止する噛み込み防止板を有することを特徴とする請求項１乃至請求項４に記載の縦型ロータリバルブ。
【手続補正２】
【補正対象書類名】明細書
【補正対象項目名】０００６
【補正方法】変更
【補正の内容】
【０００６】
【課題を解決するための手段】
本発明は、上記課題を解決するためになされたものであり、その要旨とするところは特許請求の範囲に記載した通りの下記内容である。
（１）複数の区画室を有する弁体を円筒状のケーシングの上部に設け、該弁体の上下に搬送物供給口を有する上部回転弁板と搬送物排出口を有する下部回転弁板とを配設した縦型ロータリバルブであって、
前記円筒状のケーシングを構成するケーシング外筒の側面に、搬送用エアを供給する搬送用エア供給管と、搬送用エアを排出する搬送用エア排出管とを一体として設けることにより該バルブ設置のための垂直方向のスペースを低減したことを特徴とする縦型ロータリバルブ。
（２）前記上部回転弁板の上部に、搬送物の攪拌部材を有するブレーカを設けることを特徴とする（１）に記載の縦型ロータリバルブ。
（３）前記搬送物排出口の上部に搬送物を排出する排出用エア供給管を設けることを特徴とする（１）または（２）に記載の縦型ロータリバルブ。
（４）前記バルブ本体と駆動モータとを一体化することを特徴とする（１）乃至（３）に記載の縦型ロータリバルブ。
（５）前記搬送物排出口の上部に搬送物の噛み込みを防止する噛み込み防止板を有することを特徴とする（１）乃至（４）に記載の縦型ロータリバルブ。